(57)【要約】【課題】気管カニューレが咳やくしゃみ等により永久気管孔から抜落して紛失するのを防止すると共に前記カニューレを装着していることを目立たないようにすることができる気管カニューレ用補助装飾具を提供する。【解決手段】気管カニューレ３を装着する着用者５の首部５０に掛装して使用する所望長さのネックレス状やチョーカー状等に形成した装飾具本体１を備え、装飾具本体の両端部に留め具２を設ける。装飾具本体の両端部を留め具によりカニューレの所望部に着脱可能に取り付けてカニューレに装着し、装飾具本体を着用者の首部に掛装して使用するように構成する。【選択図】図３
0003228280.tif 000002
【実用新案登録請求の範囲】
【請求項１】
永久気管孔に気管カニューレを装着する着用者が使用する気管カニューレ用補助装飾具であって、
前記カニューレを装着する着用者の首部に掛装して使用する所望長さの装飾具本体を備え、
前記装飾具本体は、その両端部に設けた留め具を備え、
前記装飾具本体の両端部を前記留め具により前記カニューレの所望部に着脱可能に取り付けて前記カニューレに装着し、前記装飾具本体を着用者の首部に掛装するように構成した気管カニューレ用補助装飾具。
【請求項２】
前記装飾具本体は、ネックレス状に形成した装飾体で構成されている請求項１に記載の気管カニューレ用補助装飾具。
【請求項３】
前記装飾具本体は、チョーカー状に形成した装飾体で構成されている請求項１に記載の気管カニューレ用補助装飾具。
【考案の詳細な説明】
【技術分野】
【０００１】
本考案は、気管カニューレ用補助装飾具に関する。さらに詳しくは、永久気管孔に気管カニューレを装着する患者（カニューレ着用者）が使用する気管カニューレ用補助装飾具に関する。本考案は気管カニューレの種類等を限定することなく、各種形態・型式に構成したカニューレに適応して使用できるものである。
【背景技術】
【０００２】
気管カニューレ（以下、単に「カニューレ」と言う場合もある。）は、その種類等として、例えば、永久気管孔を通して気管へ挿入する挿入管（チューブ）の一端に人工鼻等を取り付けるためのコネクターを設けたもの、或いは永久気管孔へ挿入する挿管部と人工鼻用のHME収容筒部とを一体形成して構成したカニューレ（人工鼻一体形成型の気管カニューレ）、その他の各種形態・型式に構成したものがある。
【０００３】
上記した人工鼻一体形成型の気管カニューレは、HME収容筒部にHME（Heat ＆ Moisture Exchanger）を出し入れ可能に収容し、挿管部を永久気管孔に挿入して永久気管孔に装着される。このカニューレは、例えば、シャント発声法の利用者間に広くに普及されている。
【０００４】
例えば、シャント発声法は、気管と食道の間にボイスプロテーゼ（ボイスプロステーシス）というシリコン製の小さな管（人工喉頭）を埋め込んで気管と食道を連結し、手術で設置された永久気管孔を指などで塞ぐことにより、肺から送り出された呼気がボイスプロテーゼを通して食道へ導入され、食道の粘膜を震わせることで声を発生（シャント発声）するものである。この場合において、人工鼻一体形成型の気管カニューレの使用者は、HME（HME内のフィルター）を指で押圧することによりカニューレの管路は閉塞され、呼気がボイスプロテーゼを通して食道へ導入され、シャント発声する。
【０００５】
ところで、気管カニューレは患者（カニューレ着用者）の咳やくしゃみ等により、永久気管孔から抜け落ち、時には見失うことがある。また、カニューレのコネクター或いはHME収容筒部は着用者の永久気管孔から外部に突出して装着され、目につき易くなっているので、カニューレを装着していることが容易に判る。そのため、他人に好奇な目で見られる等、カニューレの使用者にとって好まし
ない問題を有している。そのため、上記のような問題を解消し得る技術の開発が要望されている。
【０００６】
従来、例えば実開平６−８１５４６号公報等に示すように、永久気管孔に挿入するパイプを取付けたコネクターの両側面部に紐状の一対の連結片を設け、両連結片に紐などを取付けて使用者の首部の周りに固定するように構成した気管カニューレが提案されている（例えば特許文献１参照）。
【０００７】
特許文献１の気管カニューレによれば、着用者（患者）の咳やくしゃみ等により、気管カニューレが永久気管孔から抜落して紛失する問題を解消することができる。
【先行技術文献】
【特許文献】
【０００８】
【特許文献１】実開平６−８１５４６号公報
【考案の概要】
【考案が解決しようとする課題】
【０００９】
特許文献１によれば、上述したように、気管カニューレが永久気管孔から抜落して紛失する問題は解消することができる。しかし、特許文献１の気管カニューレは、コネクターが外部に突出したままになっておりカニューレを目立たなくする手段は何ら備えていない。そこで、従来は、例えばネッカチーフ等を首部に装着し、気管カニューレを装着していることを隠して目立たないようにする方法が一般に採用されている。
【００１０】
そこで、本考案は上記のような実情に鑑みてなされたもので、カニューレが着用者の咳やくしゃみ等により永久気管孔から抜け落ちて紛失するのを防止できると共にカニューレを装着していることを目立たないようにすることができる気管カニューレ用補助装飾具を提供することを目的とするものである。
【課題を解決するための手段】
【００１１】
上記目的を達成するため、本考案のうち１つの考案（第１の考案）は、永久気管孔に気管カニューレを装着する着用者が使用する気管カニューレ用補助装飾具であって、
前記カニューレを装着する着用者の首部に掛装して使用する所望長さの装飾具本体を備え、
前記装飾具本体は、その両端部に設けた留め具を備え、
前記装飾具本体の両端部を前記留め具により前記カニューレの所望部に着脱可能に取り付けて前記カニューレに装着し、前記装飾具本体を着用者の首部に掛装するように構成したことを特徴とする。
【００１２】
本考案の他の１つの考案（第２の考案）は、第１の考案の気管カニューレ用補助装飾具において、前記装飾具本体は、ネックレス状に形成した装飾体で構成されていることを特徴とする。
【００１３】
本考案のさらに他の１つの考案（第３の考案）は、第１の考案の気管カニューレ用補助装飾具において、前記装飾具本体は、チョーカー状に形成した装飾体で構成されていることを特徴とする。
【考案の効果】
【００１４】
本考案によれば、次のような作用効果を奏する。
（１）気管カニューレは装飾具本体に取付けて装着されているので、カニューレが咳やくしゃみ等により永久気管孔から抜け落ちて見当たらなくなる等、紛失するのを防止することができる。
（２）他人は装飾具の方を見ることになるので、カニューレを装着していることを目立たなくすることができる。
【図面の簡単な説明】
【００１５】
【図１】本考案の一実施形態の気管カニューレ用補助装飾具の構成を概略的に示す説明正面図である。
【図２】図２（ａ）は図１に示す前記装飾具の両端部側を拡大し、その構成を概略的に示す説明正面図、同図（ｂ）は図２（ａ）に示す前記装飾具の左側端部をさらに拡大し、その構成を概略的に示す説明正面図、同図（ｃ）は同じく右側端部をさらに拡大し、その構成を概略的に示す説明正面図である。
【図３】前記装飾具を前記カニューレに装着して使用する状態を示す説明図である。
【図４】本考案の前記装飾具を装着する一実施形態の気管カニューレの構成を概略的に示す図であって、同図（ａ）は説明斜視図、同図（ｂ）は説明正面図、同図（ｃ）は同図（ａ）の説明縦断面図、同図（ｄ）はHME収容筒部に出し入れ可能に嵌入して使用するHME（Heat Moisture Exchanger）の構成を概略的に示す説明背面図、同図（ｅ）は同じく説明正面図、同図（ｆ）は同じく説明側面図、同図（ｇ）は同図（ｆ）の説明縦断面図、同図（ｈ）は前記HME内のフィルター部の構成を概略的に示す説明背面図、同図（ｉ）はシャント発声法において前記カニューレを着用者の永久気管孔に装着した状態を示す説明図である。
【図５】前記カニューレに一実施形態の留め具を取付けた状態の構成を概略的に示す図であって、同図（ａ）は説明背面図、同図（ｂ）は同図（ａ）の左側の部分を拡大して示す説明図、同図（ｃ）は同じ右側の部分を拡大して示す説明図である。
【図６】図６（ａ）は図５（ａ）に示すカニューレの説明側面図、図６（ｂ）は図６（ａ）の左側の部分を拡大して示す説明図、図６（ｃ）は同じく右側の部分を拡大して示す説明図である。
【考案を実施するための形態】
【００１６】
以下、図面を参照して本考案の実施形態の一例について説明する。
【００１７】
図１ないし図６は、本考案の一実施形態（実施形態１）の気管カニューレ用補助装飾具を示す。
【００１８】
図１ないし図６に示すように、本実施形態（実施形態１）の気管カニューレ用補助装飾具１００は、気管カニューレ３を装着する着用者５（患者）の首部５０に掛装して使用する所望長さの装飾具本体１を備える。装飾具本体１は、本体１の両端部に取付けて設けた留め具２、２を備える。
【００１９】
本実施形態の装飾具本体１は、ネックレス状に形成した装飾体１０で構成されている。装飾体１０は、所望の形態に構成することができる。
【００２０】
本実施形態の装飾体１０は、糸貫通孔（符号は省略）を有する所望数のパール（本実施形態では人工パール）その他の装飾用物体１１を所望長さのネックレス用の糸状体１２に数珠つなぎ状に取り付けて所望の長さのネックレス状に形成して構成されている。この場合において、装飾体１０はパールに代えて、各種天然石や鉱石、或いはガラスビーズその他の所望の装飾用物体を取付けて構成することができる。また、装飾体１０の所望部にアクセサリー等を取り付けることも自由である。
【００２１】
本実施形態の装飾具本体１は、上記したようにネックレス状に形成した装飾体で構成した例を開示したが、前記装飾具本体１は、皮革や合成レザー、或いは布帛その他の所望の素材でチョーカー状等に形成して構成した装飾体を採用することも勿論可能である。この場合においても、装飾体の所望部にアクセサリー等を取り付けることも可能である。
【００２２】
前記留め具２、２は装飾具本体１の両端部をカニューレ３に着脱可能に留め着等により取り付けて、前記本体１をカニューレ３の所望部に装着するために設けたものである。
【００２３】
本実施形態の留め具２、２はホック式に構成されている。本実施形態の両留め具２は、それぞれ前記本体１の端部に固定して取り付ける第１の留め具２Ａとカニューレ３の所望部に固定して取り付ける第２の留め具２Ｂを備えて構成されている。
【００２４】
本実施形態の第１の留め具２Ａは、図２等に詳細に示すように、装飾体１０の糸状体１２の端部に固定して取り付ける固定用の止め金２０ａと、連結用リング２１で止め金２０ａと連結して設け、雌雄対のホック（雄ホック２２ａと雌ホック２２ｂ）で構成したホック具２２の雄ホック２２ａまたは雌ホック２２ｂの一方のホック（２２ａまたは２２ｂ）を備える。本実施形態では図２等に示すように、図２において右側に位置する第１の留め具２Ａには雌ホック２２ｂを、また、左側に位置する第１の留め具２Ａには雄ホック２２ａを取り付けて設けた例が開示されている。
【００２５】
本実施形態の第２の留め具２Ｂは、図５および図６等に示すように、カニューレ３の所望部（後述する取付部）に固定して取り付ける固定用の止め金２０ｂと、連結用リング２１により止め金２０ｂと連結して設けたホック具２２の雄ホック２２ａまたは雌ホック２２ｂのうちの一方のホック（２２ａまたは２２ｂ）を備える。本実施形態では、図５、図６等に示すように、同図において右側に位置する第２の留め具２Ｂには雄ホック２２ａを、また、左側に位置する第２の留め具２Ｂには雌ホック２２ｂを取り付けて設けた例が開示されている。そして、本実施形態では、留め具のホック具２２の雄ホック２２ａと雌ホック２２ｂを着脱可能に係着（留め着）して装飾具本体１をカニューレ３に装着するように構成されている。
【００２６】
本実施形態の留め具２、２はホック式に構成したものを開示したが両留め具は一例として開示したもので、本実施形態以外の任意の構成の留め具を自由に選択して採用できるものである。要は、装飾具本体１の両端部をカニューレ３の所望部に着脱可能に留め着する等により取り付けて前記本体１をカニューレに装着し得る構成を備えたものであればよいものである。
【００２７】
次に本実施形態で採用したカニューレ３の構成等について図４ないし図６等を参照して説明する。本実施形態では、一例として挿管部とHME収容筒部を一体形成して構成した一実施形態のカニューレが開示されている。
【００２８】
カニューレ３はシリコンで造られている。カニューレ３は患者（着用者）５の永久気管孔（符号は省略）に装着される。本実施形態のカニューレ３は図４ないし図６等に示すように患者（着用者）の永久気管孔に挿入する両端開口の所望長さに形成した挿管部３０と、挿管部３０と連通して挿管部の一端側に挿管部３０と一体形成して設け、カニューレで呼吸する空気を加温・加湿するHME４（Heat Moisture Exchanger）を出し入れ可能に嵌入して収容するHME収容筒部３１を備える。HME４は筒部３１へ嵌入する筒状体４０と、筒状体４０へ挿嵌して設けたスポンジ質状のフィルター４１を備え、筒状体４０を前記収容筒部３１へ嵌入して前記筒部３１に収容される。
【００２９】
前記挿管部３０は、所望長さの管状シャフト部３０ａと、シャフト部３０ａの開口端部の外周部に形成した保持用カラー部３０ｂとを備える。HME収容筒部３１は、筒部３１の外側部に外壁面から対称的に突設した一対の取付部３２、３２を備える。両取付部３２には前記留め具２の止め金２０ａ、２０ｂを固定して取り付ける取付孔３２ａが形成されている。前記HME４は前記筒部３１内に出し入れ可能に嵌入して収容される。
【００３０】
カニューレ３は、図４（ｉ）に示すように、挿管部３０を患者（着用者）の永久気管孔に挿入して装着される。例えば、シャント発声法において、カニュール３を装着する患者５（着用者）は、患者５の気管５１と食道５２の間にシリコン製のボイスプロテーゼ５３（例えば、商品名プロボックス：登録商標）と称される小さな管（人工喉頭）を埋め込んで気管と食道が連結されている。
【００３１】
カニューレ３は、上述したように挿管部３０を永久気管孔に挿入して永久気管孔に装着されている。この状態において、カニューレから呼吸すると、空気はHME４内のフィルター４１より加温・加湿される。即ち、息を吐き出すと、フィルターが呼気の温度と水分を捉え、空気を吸い込むと、フィルター４１内の温度と水分が吸気に戻され、吸気が加温・加湿される。また、HME４のフィルター４１を押圧するとカニューレ３の管路は閉塞され、肺から送り出された呼気はボイスプロテーゼ５３（人工喉頭）を通して食道５２へ導入され、食道の粘膜を震わせることで声を発生（シャント発声）するようになる。
【００３２】
本実施形態の気管カニューレ用補助装飾具１００は上記したように構成され、図３に示すように、装飾具本体１を着用者５の永久気管孔に装着したカニューレ３にホック具２２で着脱可能に留め着（取り付け）して装着し、装飾具本体１をカニューレの着用者５の首部５０へ掛装して使用するものである。
【００３３】
本実施形態のカニューレ用補助装飾具によれば、カニューレは装飾具本体に取り付けて永久気管孔に装着されているので、カニューレが咳やくしゃみ等により永久気管孔から抜落して見失う等、紛失するのを防止できる。また、他人は一般に装飾具本体の方へ目を向けるので、カニューレを装着していることを目立たなくすることができる。さらにまた、本実施形態のように、各種形態のネックレス状やチョーカー状等に構成したカニューレ用補助装飾具を所望数所持して用意しておくことにより、服装等に応じて所望の形態の前記装飾具を選択して使用することができる。
【００３４】
なお、本実施形態の気管カニューレ３は一例として開示したもので、本考案の気管カニューレ用補助装飾具は、上述したように、本実施形態以外の各種形態・型式に構成した気管カニューレに使用できるものである。
【００３５】
また、上記した実施形態は一例として開示したもので、本考案は上記実施形態に限定されるものではなく、実用新案登録請求の範囲に記載の技術思想を越脱しない範囲において任意に変更可能なものである。
【符号の説明】
【００３６】
１        装飾具本体
２        留め具
３        気管カニューレ
４        HME
５        着用者
３０      挿管部
３１      HME収容筒部
５０      着用者の首部
【図１】
0003228280.tif 000003
【図２】
0003228280.tif 000004
【図３】
0003228280.tif 000005
【図４】
0003228280.tif 000006
【図５】
0003228280.tif 000007
【図６】
0003228280.tif 000008